(57)【特許請求の範囲】
【請求項１】
アナログテレビジョン信号またはデジタルテレビジョン信号を中間周波信号に周波数変換する混合器と、前記混合器の次段に設けられ、前記中間周波信号を通すローパスフィルタと、互いの一端同士が接続されると共にオン動作とオフ動作とが互いに逆の関係となる第一のスイッチダイオード及び第二のスイッチダイオードとを備え、前記混合器の出力端と前記一端とをインダクタンス素子で接続し、前記第一のスイッチダイオードの他端を第一の容量素子を介してグランドに接続し、前記第二のスイッチダイオードの他端を第二の容量素子を介してグランドに接続し、前記インダクタンス素子及び前記第一の容量素子または前記インダクタンス素子及び前記第二の容量素子によって前記ローパスフィルタを構成し、前記中間周波信号のうち、前記アナログテレビジョン信号に基づく第一の中間周波信号を前記第一のスイッチダイオードの他端から出力し、前記デジタルテレビジョン信号に基づく第二の中間周波信号を前記第二のスイッチダイオードの他端から出力するようにしたことを特徴とするテレビジョンチューナ。
【請求項２】
前記一端をカソード端子とすると共に抵抗素子で直流的にグランドに接続し、前記第一のスイッチダイオード及び前記第二のスイッチダイオードをオンまたはオフするための切り替え電圧を各アノードに別個に印加するようにしたことを特徴とする請求項１記載のテレビジョンチューナ。
【発明の詳細な説明】
【０００１】
【発明の属する技術分野】
本発明は、いわゆるアナログ方式のテレビジョン信号とデジタル方式のテレビジョン信号との双方を受信可能としたテレビジョンチューナに関する。
【０００２】
【従来の技術】
既存のいわゆるアナログ方式のテレビジョン放送に対してデジタル方式のテレビジョン放送が開始されようとしているが、デジタル方式のテレビジョンの放送に使用されるチャンネルは、アナログ方式のテレビジョンの放送のために使用されているチャンネル以外のいわゆる空きチャンネルに割り当てられる。そして、使用される周波数帯が共用されることからアナログ方式のテレビジョン信号（以下、アナログテレビジョン信号という）またはデジタル方式のテレビジョン信号（以下、デジタルテレビジョン信号という）を共通のテレビジョンチューナによって受信することが考えられている。
【０００３】
図３はこのようなアナログテレビジョン信号またはデジタルテレビジョン信号を受信可能とした従来のテレビジョンチューナの基本構成を示している。以下の説明において、アナログテレビジョン信号あるいはデジタルテレビジョン信号を特定せずに一般的な意味で呼ぶ場合は単にテレビジョン信号という。
【０００４】
図３において、受信したテレビジョン信号は、先ず、図示しない帯域通過フィルタ、増幅器等によって特定のチャンネルのテレビジョン信号のみが選択、増幅されて混合器３１に入力される。そして、局部発振器３２から出力される局部発振信号と混合されて混合器３１から中間周波信号が出力される。
従って、中間周波信号はアナログテレビジョン信号に基づくものとデジタルテレビジョン信号に基づくものとの二種類となる。
中間周波信号は、混合器３１の次段に設けられたローパスフィルタ３３に入力され、ここで、隣接するチャンネルのテレビジョン信号が除去される。
【０００５】
ローパスフィルタ３３の次段には中間周波信号を切り替えるための二つのスイッチダイオード３４、３５が接続される。第一のスイッチダイオード３４のカソードと第二のスイッチダイオード３５のカソードとは互いに接続されると共にローパスフィルタ３３の出力端、即ち、インダクタンス素子３３ａと容量素子３３ｂとの接続点に接続され、さらに、抵抗素子３６によって直流的にグランドに接続される。
第一のスイッチダイオード３４と第二のスイッチダイオードとのオン動作及びオフ動作は互いに逆の関係となるように構成され、そのための切り替え電圧Ｖ１、Ｖ２が各スイッチダイオード３４、３５のアノードに印加される。
【０００６】
以上の構成において、アナログテレビジョン信号を受信するときは、第一のスイッチダイオード３４をオンにすると共に第二のスイッチダイオード３５をオフにする。すると、アナログテレビジョン信号に基づく中間周波信号が第一のスイッチダイオード３４のアノードから出力される。
一方、デジタルテレビジョン信号を受信するときは、第二のスイッチダイオード３５をオンにすると共に第一のスイッチダイオード３４をオフにする。すると、デジタルテレビジョン信号に基づく中間周波信号が第二のスイッチダイオード３５のアノードから出力される。
【０００７】
なお、第一のスイッチダイオード３４のアノードにはアナログテレビジョン信号に基づく中間周波信号を処理するためのアナログ中間周波回路３７が接続され、第二のスイッチダイオード３５のアノードにはデジタルテレビジョン信号に基づく中間周波信号を処理するためのデジタル中間周波回路３８が接続される。
【０００８】
【発明が解決しようとする課題】
以上に説明したテレビジョンチューナにおいては、例えばアナログテレビジョン信号を受信した場合、第一のスイッチダイオード３４がオン、第二のスイッチダイオード３５がオフとなるが、オフ状態の第二のスイッチダイオード３５のアノードとカソードとの間には微少容量が存在するので、図４に示されているデジタル中間周波回路３８内のアナログ／デジタル変換器（図示せず）で発生する発振信号成分が第二のスイッチダイオード３５の微少容量４０を漏洩してアナログ中間周波回路３７に入力される。すると、アナログ中間周波回路３７内の増幅回路等において混合、増幅され、前記発振信号が映像回路に入力されるので、受信妨害が起こるという問題が発生する。
【０００９】
同様に、デジタルグテレビジョン信号を受信した場合、第一のスイッチダイオード３４がオフ、第二のスイッチダイオード３５がオンとなるが、オフ状態の第一のスイッチダイオード３４のアノードとカソードとの間には同様に微少容量が存在するので、アナログ中間周波回路３７内の同期検波用発振器（図示せず）から発生する発振信号が微少容量を介してデジタル中間周波回路３８に入力される。すると、デジタル中間周波回路３８内のアナログ／デジタル変換器に入力されて変換ビットエラーが発生し、受信エラーは起こるという問題が生じる。
【００１０】
そこで、本発明のテレビジョンチューナは、アナログテレビジョン信号の受信時に、デジタル中間周波回路内のデジタル／アナログ変換器で発生している発振信号成分がアナログ中間周波回路へ漏洩しないようにし、同様に、デジタルテレビジョン信号の受信時に、アナログ中間周波回路内の同期検波用発振器で発生している発振信号成分がデジタル中間周波回路へ漏洩しないようにすることを目的ととする。
【００１１】
【課題を解決するための手段】
上述した課題を解決するため、本発明のテレビジョンチューナは、アナログテレビジョン信号またはデジタルテレビジョン信号を中間周波信号に周波数変換する混合器と、前記混合器の次段に設けられ、前記中間周波信号を通すローパスフィルタと、互いの一端同士が接続されると共にオン動作とオフ動作とが互いに逆の関係となる第一のスイッチダイオード及び第二のスイッチダイオードとを備え、前記混合器の出力端と前記一端とをインダクタンス素子で接続し、前記第一のスイッチダイオードの他端を第一の容量素子を介してグランドに接続し、前記第二のスイッチダイオードの他端を第二の容量素子を介してグランドに接続し、前記インダクタンス素子及び前記第一の容量素子または前記インダクタンス素子及び前記第二の容量素子によって前記ローパスフィルタを構成し、前記中間周波信号のうち、前記アナログテレビジョン信号に基づく第一の中間周波信号を前記第一のスイッチダイオードの他端から出力し、前記デジタルテレビジョン信号に基づく第二の中間周波信号を前記第二のスイッチダイオードの他端から出力するようにした。
【００１２】
また、本発明のテレビジョンチューナは、前記一端をカソード端子とすると共に抵抗素子で直流的にグランドに接続し、前記第一のスイッチダイオード及び前記第二のスイッチダイオードをオンまたはオフするための切り替え電圧を各アノードに別個に印加するようにした。
【００１３】
【発明の実施の形態】
本発明のテレビジョンチューナの構成を図１に示す。先ず、アンテナ等で受信されたすべてのテレビジョン信号が入力同調回路１に入力される。ここで、アナログテレビジョン信号またはデジタルテレビジョン信号のうちの特定のチャンネルのテレビジョン信号（受信チャンネルのテレビジョン信号という）が選択されて増幅器２によって増幅される。さらに、復同調回路等で構成されたバンドパスフィルタ３を通って混合器４に入力される。そして、局部発振器５から出力される局部発振信号と混合され、混合器５から中間周波信号が出力される。
従って、中間周波信号はアナログテレビジョン信号に基づく中間周波信号（以下、第一の中間周波信号という）とデジタルテレビジョン信号に基づく中間周波信号（以下、第二の中間周波信号という）との二種類となる。
【００１４】
混合器４の出力側には第一の中間周波信号と第二の中間周波信号とを切り替えるための第一のスイッチダイオード６及び第二のスイッチダイオード７と、これら第一、第二の中間周波信号に隣接するテレビジョン信号を除去するためのローパスフィルタ８及び９が設けられる。
先ず、混合器４の出力端がインダクタンス素子８ａを直列に介して第一のスイッチダイオード６と第二のスイッチダイオード７との各一端（カソード）に接続される。そして、第一のスイッチダイオード６の他端（アノード）が第一の容量素子８ｂによってグランドに接続され、第二のスイッチダイオード７の他端（アノード）が第二の容量素子９ｂによってグランドに接続される。第一の容量素子８ｂの容量値は第二の容量素子９ｂの容量値と同じである。
【００１５】
第一のスイッチダイオード６のカソードと第二のスイッチダイオード７のカソードとは抵抗素子１０によって直流的にグランドに接続される。
また、第一のスイッチダイオード６と第二のスイッチダイオード７とのオン動作及びオフ動作は互いに逆の関係となるように構成され、そのための切り替え電圧Ｖ１、Ｖ２がそれぞれ給電抵抗素子１１、１２によって各スイッチダイオード６、７のアノードに印加される。
【００１６】
そして、第一のスイッチダイオード６のアノードには第一の中間周波信号を処理するためのアナログ中間周波回路１３が接続され、第二のスイッチダイオード７のアノードには第二の中間周波信号を処理するためのデジタル中間周波回路１４接続される。
【００１７】
以上の構成において、アナログテレビジョン信号を受信するときは、第一のスイッチダイオード６をオンにすると共に第二のスイッチダイオード７をオフにする。すると、インダクタンス素子８ａと第一の容量素子８ｂとが高周波的に接続されて第一のローパスフィルタ８が形成される。従って、第一の中間周波信号は第一のローパスフィルタを介してアナログ中間周波回路１３に入力される。
【００１８】
一方、インダクタンス素子８ａと第二の容量素子９ｂとはオフ状態の第二のスイッチダイオード７によって接続されことになる。ここで、オフ状態の第二のスイッチダイオード７は等価的に微少容量値を有する容量素子とみなせるので、混合器４とアナログ中間周波回路１３及びデジタル中間周波回路１４との間は図２のような等価回路で表される。即ち、インダクタンス素子８ａと第二の容量素子９ｂとが第二のスイッチダイオード７による微少容量素子７ａによって接続されたことになる。
【００１９】
この結果、アナログテレビジョン信号受信時においては、デジタル中間周波回路１４内で発生した発振信号成分は第二の容量素子９ｂによって減衰すると共にオフ状態の第二のスイッチダイオード７の微少容量７ａと第一の容量素子８ｂとによって分割されて一層減衰するので、アナログ中間周波回路１３に入力される発振信号のレベルは極めて低くなる。
【００２０】
次に、デジタルテレビジョン信号を受信するときは、第一のスイッチダイオード６をオフにすると共に第二のスイッチダイオード７をオンにする。すると、インダクタンス素子８ａと第二の容量素子９ｂとが高周波的に接続されて第二のローパスフィルタ９が形成される。従って、インダクタンス素子８ａは第一のロー端フィルタ８と共用される。そして、第二の中間周波信号は第二のローパスフィルタ９を介してデジタル中間周波回路１４に入力される。なお、第一のロー端フィルタ８のカットオフ周波数と第二のローパスフィルタ９のカットオフ周波数とは互いに同じである。
【００２１】
一方、インダクタンス素子８ａと第一の容量素子８ｂとはオフ状態の第一のスイッチダイオード６によって接続される。ここで、オフ状態の第一のスイッチダイオード６は、同様に、等価的に微少容量値を有する容量素子とみなせる。従って、図示はしないが、インダクタンス素子８ａと第一の容量素子８ｂとが第一のスイッチダイオード６による微少容量素子によって接続されたことになる。
【００２２】
この結果、デジタルテレビジョン信号受信時においては、アナログ中間周波回路１３内で発生した発振信号成分は第一の容量素子８ｂによって減衰すると共にオフ状態の第一のスイッチダイオード６の微少容量と第二の容量素子９ｂとによって分割されて一層減衰するので、デジタル中間周波回路１４に入力される発振信号のレベルは極めて低くなる。
【００２３】
【発明の効果】
以上のように、本発明のテレビジョンチューナは、混合器の出力端と第一及び第二のスイッチダイオードの一端とをインダクタンス素子で接続し、第一のスイッチダイオードの他端を第一の容量素子を介してグランドに接続し、第二のスイッチダイオードの他端を第二の容量素子を介してグランドに接続し、インダクタンス素子及び第一の容量素子またはインダクタンス素子及び第二の容量素子によって各ローパスフィルタを構成することで、第一のスイッチダイオードの他端にアナログ中間周波回路を接続し、第二のスイッチダイオードの他端にデジタル中間周波回路を接続しても、アナログテレビジョン信号の受信時にはデジタル中間周波回路で発生してアナログ中間周波回路に入力される発振信号成分のレベルは極めて低くなる。また、同様に、デジタルテレビジョン信号の受信時にはアナログ中間周波回路で発生してデジタル中間周波回路に入力される発振信号成分のレベルも極めて低くなる。従って、アナログテレビジョン信号の受信時及びデジタルテレビジョン信号の受信時のいずれにおいても、受信妨害を引き起こすことはない。
【００２４】
また、本発明のテレビジョンチューナは、第一及び第二のスイッチダイオードの一端をカソード端子とすると共に抵抗素子で直流的にグランドに接続し、第一のスイッチダイオード及び第二のスイッチダイオードをオンまたはオフするための切り替え電圧を各アノードに別個に印加するようにしたので、第一の中間周波信号と第二の中間周波信号との切り替えに連動してローパスフィルタの切替ができる。
【図面の簡単な説明】
【図１】本発明のテレビジョンチューナの基本構成図である。
【図２】本発明のテレビジョンチューナの等価回路図である。
【図３】従来のテレビジョンチューナの基本構成図である。
【図４】従来のテレビジョンチューナの基本構成図である。
【符号の説明】
１  入力同調回路
２  バンドパスフィルタ
３  増幅器
４  混合器
５  局部発振器
６  第一のスイッチダイオード
７  第二のスイッチダイオード
８  第一のローパスフィルタ
８ａ  インダクタンス素子
８ｂ  第一の容量素子
９  第二のローパスフィルタ
９ｂ  第二の容量素子
１０  抵抗素子
１１、１２  給電抵抗素子
１３  アナログ中間周波回路
１４、デジタル中間周波回路
【図１】
0003592971.tif 000002
【図２】
0003592971.tif 000003
【図３】
0003592971.tif 000004
【図４】
0003592971.tif 000005